(57)【要約】【課題】衣服のポケットやバッグの中から携帯電話を取り出す、特に、電話が掛かってきたときなど急いで取り出そうとするときに、アンテナの突起が引っ掛かり、なかなか出せなかったり、やっと取り出せたと思ったら引っ掛かって取り落としたり、また、慌ててアンテナを引っ張り過ぎて抜けてしまったり、逆に、仕舞うときに過ってアンテナを折ってしまったりという事故が度々発生していた。  これらの事故を無くし、スムーズに取り出せるようにするとともに、デザイン上でもすっきりしたものにすること。【解決手段】従来の携帯電話の引っ張り出し式のアンテナを無くすることによって、突起を無くすることができる。その為には、アンテナを内蔵してしまうのが良い。その為に、携帯電話の背面周囲に、細い銅線を接着（図４）しアンテナ部分に接続した。そうすることにより、突起を無くすることができたのと同時に、電波をよりよく捕えると言う効果も付随したし、デザイン上でもすっきりした形状になった。今後、もっと素晴らしいデザインを生み出す可能性も秘めていると言える。  細い銅線を使用する変わりに、薄い金属箔を用いても、同様の効果が得られる。【選択図】    図４
0003110315.tif 000002
【実用新案登録請求の範囲】
【請求項１】
携帯電話の正面、又は背面、又は側面にアンテナを内蔵したことを特徴とする携帯電話。
【考案の詳細な説明】
【考案の詳細な説明】
【技術分野】
【０００１】  本校案は、携帯電話のアンテナを内蔵することによって、現在の携帯電話のようにアンテナの突出部を無くし、衣服のポケットやバッグから取り出すときに、引っ掛かったりせずスムーズに取り出せるようにしたものである。
後程、「従来の技術」の項で詳しく述べるが、アンテナを内蔵することによって、デザイン的にもすっきりした形を可能にすると共に、今のように点で電波を受信するのではなく、線又は面で受信することが可能になり電波を受信する範囲も広くなり、より鮮明な会話ができるようになる。その上、アンテナを引き出したり又仕舞ったりするときに起きる、折れたり抜けたりする事故もなくなるなどもたらす効果は非常に大きい。
【背景技術】
【０００２】  最近の携帯電話は、カメラが付いていたりパソコンとの接続が可能になりインターネットができたり、その上テレビが見れるようになるのもそれ程遠くないところまで来ている等、その発達には目を見張るものが有るが、ことアンテナに関しては、いまだに旧態前としていて、棒状のアンテナを引き出す方法にとどまっている。従来の技術だと、どうしてもアンテナの突起が出ることになり、デザイン的にもすっきりしない。また、衣服のポケットやバッグの中から取り出すときに、突起が引っ掛かってなかなか出てこなかったり、やっと出たと思ったら引っ掛かって取り落としたり、アンテナを出し入れするときに、過って折ってしまったり、引っ張り過ぎて抜けてしまったりなどの事故が度々発生している。それに電波を受信するのも、従来の技術だと一点で受信することになる。当然のことながら、線や面よりは電波を捕えにくくなる。それ故ちょっと位置がずれるだけで、電波が受信できず、通話が途絶えることが度々起こっている。
電話その物の形状や機能の進歩に比べて、ことアンテナに関しては、素材などの進歩は有るにしても、形状に関しては全く進歩していない。
【考案が解決しようとする課題】
【０００３】  従来の技術のように、電話が掛かってきたときに、アンテナを引っ張り出して使用する形では、下記のような問題点を有している。
【０００４】  従来のアンテナでは、どこか一か所に突起がどうしても出ることになり、デザイン的にすっきりしないと言う問題点を有していた。
【０００５】  従来の形状では、電話が掛かってきたときに、衣服のポケットやバッグの中から取り出すとき、引っ掛かって中々取り出せないと言う問題点を有していた。
【０００６】  従来の形状では、電話が掛かってきたときに、ポケットやバッグの中から、慌てて取り出そうとして、突起が引っ掛かり、取り落としてしまうと言う問題点を有していた。
【０００７】  従来の形状では、電話が掛かってきたときに、電波の受信状態が余り良くなく慌ててアンテナを引き出すときに、引っ張り過ぎて抜けてしまうと言う問題点を有していた。
【０００８】  従来の形状では、前項とは逆に仕舞うときに、過って折ってしまうと言う問題点を有していた。
【０００９】  従来の形状では、電波を受信するとき、一点で受信するため、ちょっと位置がずれるだけで通話が途切れると言う問題点を有していた。
【００１０】  本考案は、従来の技術が有するこれらの問題点を鑑み考案されたもので、アンテナを内蔵することにより、突起を出さなくて良くなるため、デザイン的にも、取り出すときの事故も、アンテナの出し入れ時の事故などもなくなる上に、電波の受信状態も良くなるなど、全ての問題点を一挙に解決してしまう素晴らしい考案である。
【問題を解決するための手段】
【００１１】  本考案では、上記の問題点を解決するため、携帯電話の外面周囲にアンテナ線を這わし、接着した上で樹脂でコウティングした。その結果、形状はすっきりした上に、衣服のポケットやバッグから取り出すときに、引っ掛かると言う問題点はなくなり、スムーズに取り出せるようになった。当然のことながら、アンテナを出すと言う手間もなくなったわけだから、引っ張り過ぎて抜けたりまた仕舞うときに過って折ってしまう、あるいは引っ掛かって取り落とした、などと言う事故も全く無くなったし、電波の受信状態にもなんの支障も来さず、良好であった。
【００１２】  前項（００１１）の線とは別に、携帯電話の外面に、アンテナ用の金属箔を張り付け、樹脂でコウティングした結果、前項（００１０）同様の効果を得られた。
この結果、周囲にアンテナ線もしくは金属箔どちらを内蔵しても好結果を得られることが実証された。
【考案を実施するための最良の形態】
【００１３】  前項（問題を解決するための手段）で述べたとうり、試作では、一つは携帯電話外面の周囲に０．１ｍｍ太さの銅線を５本平らに並べて接着し、上を樹脂でコウティングした。後一つは、厚さ０．０５ｍｍの銅箔を携帯電話の外面全体に張り付け、その上を樹脂でコウティングした。それぞれをアンテナ部分に接続した使用実験の結果は、電波の受信には、従来のものとなんら遜色はないことがわかった。むしろ線又は面で電波を捕えることから、受信状態は良くなっているのではないかと思われた。
この試作で使用した、銅線と銅箔はあくまで試作として手近に有る素材を利用したもので、実際の製品化には、材質や線の太さや金属箔の厚みなどは、十分検討した上で決定することは申し添えておく。
【考案の効果】
【００１４】  前項「考案が解決しようとする課題」（０００４）〜（００１０）で述べた問題点は、
１．突起がなくなりデザイン的にすっきりしたものになった。
２．電話が掛かってきたとき、衣服のポケットやバッグの中から取り出すのがスムーズになった。
３．電話が掛かってきて衣服のポケットやバッグの中から慌てて取り出しても、突起が引っ掛かって取り落としてしまう、と言う様な事故はなくなった。
４．従来のアンテナのように、引っ張り出したり、仕舞ったりという操作が必要ないため、引き抜く又は折るといった事故はなくなった。
５．従来のアンテナのように、電波を点で捕えるのではなく、線又は面で電波を受信するため、良好な通話が可能になった。
以上のように、全て解決されている。
【図面の簡単な説明】
【図１】従来の携帯電話の開いた状態の中面正面図
【図２】従来の携帯電話の開いた状態の背面図
【図３】従来の携帯電話の折り畳んだ状態の右側面図
【図４】本考案の携帯電話背面周囲にアンテナ用の銅線を内蔵した図面
【図５】本考案携帯電話の背面にアンテナ用の銅箔を張り付けた図面
【図６】本考案携帯電話の右側面図
【符号の説明】
Ａ．スピーカー
Ｂ．ディスプレイ
Ｃ．マイク
Ｄ．アンテナ
Ｅ．着信ランプ
Ｆ．ハンドストラップ取り付け箇所
Ｇ．背面スピーカー
Ｈ．バッテリーカバー
Ｉ．イヤホンマイク端子
Ｊ．本考案の携帯電話に内蔵されたアンテナ用銅線
Ｋ．本考案の携帯電話に内蔵されたアンテナ用銅箔
１．〜１２．各操作キー
１３．サイドキー１
１４．サイドキー２
【図１】
0003110315.tif 000003
【図２】
0003110315.tif 000004
【図３】
0003110315.tif 000005
【図４】
0003110315.tif 000006
【図５】
0003110315.tif 000007
【図６】
0003110315.tif 000008